Podtech/llm-jp-corpus-v4-ja_patent huggingface dataset:
(57)【要約】【課題】標準的な窓枠の溝に取付金具をはめ込んで面格子を取り付ける工法には，セキュリティ対策上，脆弱性が存在する。すなわち，取り付け金具を窓枠の端に単純にはめ込んでいるだけであるため，簡単に面格子を取り外すことができる。これでは，窓からの不正侵入を防止できないため問題である。【解決手段】本発明は，面格子が取り付けられた窓枠に追加的に取り付けることにより，面格子の取り付け強度を増す。このことにより，面格子の取り外しをより困難にし，結果として，窓からの不正侵入を効果的に防止する。【選択図】図３
2008063919.tif 000002
【特許請求の範囲】
【請求項１】
（１）金属板を，窓枠の端にはめ込んで固定できる形状に折り曲げる。
（２）他の金具と結合できるように金属板の中央に穴をあける。
以上の如く構成された，窓枠への，面格子の取り付けを強化する補助金具。
【発明の詳細な説明】
【技術分野】
【０００１】本発明は，窓枠への，面格子の取り付けを強化する補助金具に関する。
【背景技術】
【０００２】近年，ホームセキュリティ意識の広まりから，窓からの不正侵入を防止するために，面格子を窓枠へ後付けする需要が高まっている。面格子の取り付けには，窓枠の外側の外壁面にネジで取り付ける方式が一般的であった。しかし，現在は，図１，および，図２に示すように，外壁にネジで穴を開けることなく，標準的な窓枠の端に取付金具（以降，「既存の取付金具」とする）をはめ込んで面格子を取り付ける工法（以降，「既存の工法」とする）が考案されている。
【発明の開示】
【発明が解決しようとする課題】
【０００３】既存の工法には，セキュリティ対策上，脆弱性が存在する。すなわち，既存の取付金具は窓枠の端に単純にはめ込んでいるだけであるため，はめ込み部分に強い力を加えることにより，特殊工具を使用せずに簡単に面格子を取り外すことができる。簡単に面格子を取り外すことができる場合窓からの不正侵入を防止できないため，既存の工法は問題である。
【課題を解決するための手段】
【０００４】本発明は，既存の工法により面格子が取り付けられた窓枠に追加的に取り付けることにより，面格子の取り付け強度を増す。
【発明の効果】
【０００５】本発明は，面格子の取り付け強度を増すことにより，面格子の取り外しを困難にする。そして，その結果として，窓からの不正侵入を効果的に防止する。
【発明を実施するための最良の形態】
【０００６】本発明は，既存の工法に追加的に利用される。既存の工法により面格子が取り付けられた窓枠に，窓枠の外側から窓枠の端を挟み込むように補助金具をはめ込む。そして，既存の取付金具に本発明である補助金具をボルト及びナットで固定する。ボルト及びナットは，反転不可の特殊品を用いる，ねじ山をつぶす，または，接着剤で固定するなどにより，取り外しを防止する。
【産業上の利用可能性】
【０００７】既存の工法は，簡便性の点から有用である。しかし，この工法では簡単に面格子を取り外すことができる。そこで，本発明である補助金具を用いることで，既存の工法の有用性を損なわず，かつ，面格子の取り外しを困難にすることができる。従って，この発明は有用である。
【図面の簡単な説明】
【図１】既存の工法による面格子の取付状態を示す概念図である。
【図２】既存の工法による面格子の取付状態を上部から示した図である。
【図３】本発明を上部から示した図である。
【図４】本発明を側部から示した図である。
【図５】本発明を窓枠及び面格子に取り付けた状態を上部から示した図である。
【図６】本発明を窓枠及び面格子に取り付ける状態を示した概念図である。
【符号の説明】
１は本発明
２は面格子
３は既存の取付金具
４は窓枠
５はボルト及びナット
【図１】
2008063919.tif 000003
【図２】
2008063919.tif 000004
【図３】
2008063919.tif 000005
【図４】
2008063919.tif 000006
【図５】
2008063919.tif 000007
【図６】
2008063919.tif 000008
(57)【要約】      （修正有）【課題】奏者の首の痛みや顎の違和感が軽減され、汗も吸収可能なカバークッションを提供する。【解決手段】バイオリンの大きさごとに合わせ和らかい素材によりカバーを作る。そして内部にも取り付け、取り外し可能な、又重ね付けも可能なクッションを作り首の長さに合わせられるようにする。装着は、両サイドのゴム、又は、中央ファーソナー、サイドファーソナー等により可能にする。【選択図】図１
2008026843.tif 000002
【特許請求の範囲】
【請求項１】
バイオリンを弾く時に取り付けるカバークッション。
【発明の詳細な説明】
【技術分野】
【０００１】  この発明は、バイオリンを弾く時にとり付けるクッションの入ったカバーに関するものである。
【背景技術】
【０００２】  従来、バイオリンを弾く時のカバーは無かった。
【発明の開示】
【発明が解決しようとする課題】
【０００３】  これは、次のような問題点があった。
バイオリンを弾く時、突起物や金具が直接首にあたり痛みを感じたり、顎を置く所が固いので違和感があったり、弾く人の汗を吸収する所が無かったりと、バイオリンとの弾く人との一体感を得難い所があった。
本発明は、以上のような欠点をなくすためになされたものである。
【課題を解決するための手段】
【０００４】  バイオリンの大きさごとに合わせ、布、皮、合皮等の和らかい素材からなるカバーを作り、内部にクッションを入れる。
又、クッションは首の長さに合わせ、外す事が、可能であり、又重ねて付け加える事も可能である。装着は、両サイドのゴム、又は、ファーソナーでする。
以上の構成よりなるバイオリンに取り付けるカバークッションである。
【発明の効果】
【０００５】  和らかい素材からなっているので、首の痛みや、顎の違和感が軽減される。
なので、バイオリンと奏者の一体感が増し奏者の汗も吸収可能である。
バイオリンのサイズが小さければ、小さいほど音にはなんらさしつかえない。
【発明を実施するための最良の形能】
【０００６】以下本発明の実施例について説明する。バイオリンの個々の大きさに合わせ、布、皮、合皮等の和らかい素材のカバーを作る。そのカバーの内部には、奏者の首の長さに合わせ、取り付け、取り外し、さらに重ね付けが可能なクッションをもうける。
カバー本体のバイオリンの装着は、ゴム、又は中央ファーソナー、又はサイドファーソナーにより可能にする。
本発明は以上のような構造によりなり、これを使用する時は、バイオリンに装着しバイオリンを奏でれば良。
【図面の簡単な説明】
【０００７】
【図１】本発明の斜視図である
【図２】本発明の斜透視図である
【図３】中央ファーソナー付の図である
【図４】サイドファーソナー付の図である
【図５】図１ａ線の断面図である。
【符号の説明】
【０００８】１  カバー本体        ４  中央ファーソナー
２  ゴム              ５  サイドファーソナー
３  内部クッション    ６  リボン
【図１】
2008026843.tif 000003
【図２】
2008026843.tif 000004
【図３】
2008026843.tif 000005
【図４】
2008026843.tif 000006
【図５】
2008026843.tif 000007
(57)【要約】      （修正有）【課題】戸外でのスポーツ時の太陽光やパソコンのモニターの輝きはまぶしく、誰もが困っていた。【解決手段】巾１〜２センチ、長さ３〜４センチ程度の黒色のシールまたはパネルを用意する。シールの場合は裏に粘着加工を施す。パネルの場合はめがねように鼻掛け、ツルを用意し、耳と鼻に掛けて使用する。パネルは角度調節可能にする。【選択図】図１
2008026841.tif 000002
【特許請求の範囲】
【請求項１】
目の下に装着する「まぶしさ」防止器具
【発明の詳細な説明】
【技術分野】
【０００１】この発明は目の下に黒いシールまたはパネルを装着し「まぶしさ」を防止するものである。
【技術背景】
【０００２】従来は、このようにものはなかった。
【発明の開示】
【発明が解決しようとする課題】
【０００３】戸外でのスポーツ時の太陽光やパソコンのモニターの輝きはまぶしく、誰もが困った。
【課題を解決するための手段】
【０００４】目の下に黒いシールまたはパネルを装着し「まぶしさ」を防止する。
【発明の効果】
【０００５】目の下に黒いものがあるとまぶしさが軽減されるため、目が疲れない。
【発明の実施をするための最良の形態】
【０００６】以下、本発明の実施の形態について説明する。
イ．巾１〜２センチ、長さ３〜４センチ程度の黒色のシールまたはパネルを用意する。ロ．シールの場合は裏に粘着加工を施す。ハ．パネルの場合はめがね様の鼻掛け、ツルを用意する。
【実施例１】
【０００７】巾１〜２センチ、長さ３〜４センチ程度の黒色のシール用意し、裏に粘着加工を施す。裏テープを剥がして、目の下に装着する。
【実施例２】
【０００８】巾１〜２センチ、長さ３〜４センチ程度のパネル用意し、めがねのように鼻掛け、ツルを付け耳に掛けて使用する。パネルは角度調節ができるようにする。
【図面の簡単な説明】
【０００９】
【図１】［実施例２］の形態図である。
【符号の説明】
【００１０】  １黒いパネル（角度調節可能）
２鼻掛け
３ツル
【図１】
2008026841.tif 000003
(57)【要約】【課題】占いは、占い師と対面し、偶然性を呼ぶ、トランプなどを利用し、偶然性により占う方式がある。この場合、書物、ネットで記載されたものは偶然性を発生させる方式はなかった。記載されているものでも偶然性を発生させることが問題である。  手間や時間がかからない方法はないか。  さらに、本人が持参しているもので安易に使用する方法はないかとの課題に取り組んだ。また、個性を発揮するものはないかと考え、これを解決するため時計秒針利用ビジネスモデルを発明した。  使用者の占いの偶然性の気分向上がさらに図られる。また、書物、ネットですでに記載されたものでも、偶然性を楽しむことが一段と向上する。【解決手段】時計の秒針を利用する。【選択図】なし【特許請求の範囲】
【請求項１】
占い等を行うため、アナログ時計の秒針を利用した方式である。
【請求項２】
占い等を行うため、デジタル時計の秒針数字を利用した方式である。
【発明の詳細な説明】
【技術分野】
【０００１】  本発明は、占いを行うときの使用時に、関するものである。
【背景技術】
【０００２】  従来、占いは、書物、ネットで月別、星座別などがすでに記載してあって、そのまま使用する方法しかなかった。
さらに、従来の占いは、記載してあるものに偶然性を発生させる方法はなかった。
【発明の開示】
【発明が解決しようとする課題】
【０００３】  占いは、占い師と対面し、偶然性を呼ぶ、トランプなどを利用し、偶然性により占う方式がある。この場合、書物、ネットで記載されたものは偶然性を発生させる方式はなかった。記載されているものでも偶然性を発生させることが問題である。
手間や時間がかからない方法はないか。
さらに、本人が持参しているもので安易に使用する方法はないかとの課題に取り組んだ。また、個性を発揮するものはないかと考え、これを解決するため時計秒針利用ビジネスモデルを発明した。
使用者の占いの偶然性の気分向上がさらに図られる。また、書物、ネットですでに記載されたものでも、偶然性を楽しめることが一段と向上する。
【課題を解決するための手段】
【０００４】  アナログ時計の場合、秒針を見て、その秒針による番号により、すでに記載されている文面文章を個人別に利用する。
本発明により時計秒針利用ビジネスモデルで偶然性の機能を持たせることで、使用者の気分向上が図られる。
【発明の効果】
【０００５】  本発明により、すでに記載してある文章でも、時計秒針利用ビジネスモデルで偶然性の機能を持たせることで、どこに当たるのかの楽しみがあり、占い本来の偶然性の向上が図られる。
【発明を実施するための最良の形態】
【０００６】  アナログ時計、デジタル時計の、秒針を見て、その秒針による番号により、すでに記載されている文面文章を個人別に利用する。
【実施例１】
【０００７】  すでに記載されている文面文章でも、アナログ時計の場合、秒針を見て、その秒針による番号により、すでに記載されている文面文章を個人別に利用する。その文章は１２に分けて記載し、時計回りに近いものが今日のその人の占い結果である。
【実施例２】
【０００８】  すでに記載されている文面文章を、デジタル時計を利用する場合、秒針を見て、その秒針による番号により、すでに記載されている文面文章を個人別に利用する。その文章は６０に分けて記載してもよし、数を少なくし、ランダム数字、四捨五入などの方式を定めてもよい。
それで出たものが、今日のその人の占い結果である。
(57)【要約】      （修正有）【課題】文字盤に描かれた模様が針の回転によって見えにくくなることを解決した時計を提供する。【解決手段】筒体１、３，５に時針２、分針４、秒針６を一体化させ、秒針の筒体５に挿入した軸８に絵・文字・写真などの模様を描いた基板９を設けたことにより、前記基板９が時針２、分針４、秒針６の回転によって見えにくくなることがなく、デザインが損なわれることがない。【選択図】図３
2008026293.tif 000002
【特許請求の範囲】
【請求項１】
筒体に時針・分針・秒針を一体化させ、秒針の筒体に挿入した軸に基板を設けたことを特長とする時計の針の目かくし基板。
【発明の詳細な説明】
【技術分野】
【０００１】  本発明は、時計の秒針・分針・時針をかくす基板に関するものである。
【背景技術】
【０００２】  従来、文字盤の中央部に模様が描かれた置き時計や掛け時計があるが、そのような時計においても中心に秒針・分針・時針（以下針と称する）が設けられ回転している。
【発明の開示】
【発明が解決しようとする課題】
【０００３】  そのために文字盤に描かれた模様が針の回転によって見えにくくなり、せっかくのデザインが損なわれる。本発明は、このような問題点を解決するためになされたものである。
【課題を解決するための手段】
【０００４】  筒体に時針・分針・秒針を一体化させ、秒針の筒体に挿入した軸に基板を設けたことを特長とする時計の針の目かくし基板である。
【発明の効果】
【０００５】  時計の文字盤を回る針の中心が基板の下にかくれるため、基板に描いた絵・文字・写真などの模様がいつも表面に見えているので、デザインが損なわれることがない。
【発明を実施するための形態】
【０００６】  以下、本発明の実施例について説明する。筒体（１）の下部にギア（７Ａ）を設け、同様に筒体（３）の下部にギア（７Ｂ）を設ける。さらに筒体（５）の下部にギア（７Ｃ）を設ける。
上記の筒体（１）・（３）・（５）は筒体（１）の直経が一番大きく、筒体（３）の直径はそれより小さく、筒体（５）の直径は筒体（３）の直径よりさらに小さい。従って、筒体（１）に筒体（３）が下方から挿入され、筒体（５）が筒体（３）に下方から挿入されて、それぞれが一体の筒体となり、しかも別々に回転することができる。
その後、筒体（１）の上部に外方向に時針（２）を設け、同様に筒体（３）の上部に分針（４）を設け、さらに筒体（５）の上部に秒針（６）を設ける。
このような構成にした時計の針において、下部に軸（８）を設けた基板（９）に模様などの図柄を描いて筒体（５）に挿入する。これらの関係を図示したのが図３である。
本発明は以上の構成からなるものであるが、以下に使用方法について説明する。時計は従来のように秒針・分針・時針は回転するが、その時それぞれの針は基板（９）の下にかくれるようになるので、基板上に描いた図柄などが針によって見にくくなることがない。従って、時計の中央に様々な図柄を描いて楽しむことができるのである。
本発明について、従来の置き時計や掛け時計の中央に図柄が描かれている前提で述べてきたが、それがなくても基板を設けることによって、針の回転の中央を目かくしできる特長のある時計を提案することができる。
【図面の簡単な説明】
【０００７】
【図１】  本発明の正面図
【図２】  従来の時計の正面図
【図３】  本発明の要部構造図
【図４】  本発明の要部分解図
【符号の説明】
１      筒体
２      時針
３      筒体
４      分針
５      筒体
６      秒針
７Ａ    ギア
７Ｂ    ギア
７Ｃ    ギア
８      軸
９      基板
【図１】
2008026293.tif 000003
【図２】
2008026293.tif 000004
【図３】
2008026293.tif 000005
【図４】
2008026293.tif 000006
(57)【要約】【課題】コンクリートの圧縮強度試験において、試験中の偏心載荷を感知して修正することにより精度向上に寄与する管理方法を提供する。【解決手段】コンクリートの圧縮強度試験において、載荷時の供試体における複数箇所の縦ひずみを測定し、測定した複数箇所の縦ひずみの差により偏心載荷を感知して修正する。すなわち、偏心載荷を試験中における複数箇所の縦ひずみの差により感知し、修正する。具体的には、圧縮強度試験時に二点以上の縦ひずみ（例えば、縦ひずみを供試体の軸に平行、かつ、対称な二つの線上で、供試体の高さの１／２の位置において測定する）の差を確認しながら載荷を行い、縦ひずみの差が大きくなった場合は載荷を中断し、供試体の設置状況等を確認して、再度試験を実施する。【選択図】図３
2008026020.tif 000002
【特許請求の範囲】
【請求項１】
コンクリートの圧縮強度試験において、
載荷時の供試体における複数箇所の縦ひずみを測定し、測定した複数箇所の縦ひずみの差により偏心載荷を感知して修正することを特徴とするコンクリートの圧縮強度試験管理方法。
【発明の詳細な説明】
【技術分野】
【０００１】
本発明は、コンクリートの圧縮強度試験の管理方法に関する。
【背景技術】
【０００２】
コンクリートの形成物等に対する非破壊圧縮強度試験が各種方法により行われている（例えば特許文献１参照）。
コンクリートの圧縮強度試験（ＪＩＳ  Ａ  １１０８）において、試験中の供試体に対する偏心載荷を防ぐために、「供試体の上下端面及び上下の加圧板の圧縮面を清掃する」や「供試体を供試体直径の１％以内の誤差で、その中心軸が加圧板の中心と一致するように置く」などの規定がある。これらの方法は試験前に試験中の偏心載荷の可能性を低くするものであって、試験開始後の偏心載荷を感知するものではない。
【特許文献１】特開２００２−１８１６７７号公報
【発明の開示】
【発明が解決しようとする課題】
【０００３】
コンクリートの圧縮強度試験において、供試体に載荷した際、供試体の上下端面及び加圧板の圧縮面に微小な物質が存在する場合や供試体の中心軸が加圧板の中心と僅かにずれている場合、偏心して荷重がかかり、実際の強度より低い強度結果となることがある。
【０００４】
本発明の課題は、コンクリートの圧縮強度試験において、試験中の偏心載荷を感知して修正することにより精度向上に寄与する管理方法を提供することである。
【課題を解決するための手段】
【０００５】
以上の課題を解決するため、本発明は、コンクリートの圧縮強度試験において、載荷時の供試体における複数箇所の縦ひずみを測定し、測定した複数箇所の縦ひずみの差により偏心載荷を感知して修正することを特徴とする。
【０００６】
すなわち、偏心載荷を試験中における複数箇所の縦ひずみの差により感知し、修正する。
具体的には、圧縮強度試験時に二点以上の縦ひずみ（例えば、縦ひずみを供試体の軸に平行、かつ、対称な二つの線上で、供試体の高さの１／２の位置において測定する）の差を確認しながら載荷を行い、縦ひずみの差が大きくなった場合は載荷を中断し、供試体の設置状況等を確認して、再度試験を実施する。
なお、載荷の中断は、設計基準強度の約１／３の時点までに縦ひずみの差が大きくなったときに実施する。
【発明の効果】
【０００７】
本発明によれば、コンクリートの圧縮強度試験において、試験中の偏心載荷を縦ひずみの差により感知して修正するため、精度向上を達成できる。
【発明を実施するための最良の形態】
【０００８】
以下、表及び図を参照して本発明の実施例を説明する。
【実施例】
【０００９】
【表１】
2008026020.tif 000003
【００１０】
表１及び図１〜３に超高強度コンクリートの圧縮強度試験結果を示す。表１は材齢及び供試体の相違に対応した圧縮強度試験結果を示したものである。図１〜３は材齢毎の供試体の相違に対応した圧縮強度試験結果（応力―ひずみ曲線）を示したものである。なお、ＪＩＳ  Ａ  １１４９に規定されているコンクリートの静弾性係数試験方法に準拠して行った場合の応力―ひずみ曲線を使用している。
【００１１】
表１及び図１〜３に示したとおり、材齢１８２日の圧縮強度は、材齢９１日の圧縮強度より低い結果であった。材齢１８２日の縦ひずみの測定結果を見ると、何れの供試体も縦ひずみの差が大きく、これが圧縮強度試験結果に影響を与えたものと思われる。
【００１２】
材齢３６５日の圧縮強度試験では、縦ひずみの差を確認しながら載荷を行い、応力４０Ｎ／ｍｍ2 以下で縦ひずみの差が３００μを超えた場合は載荷を中断し、供試体の設置状況等を確認して再度試験を行った。その結果、縦ひずみの差は材齢１８２日よりも小さくなり、圧縮強度は材齢９１日、１８２日よりも高く、良好な試験結果が得られたものと判断できる。
【００１３】
以上のことから、超高強度コンクリートの圧縮強度試験時に縦ひずみを測定し、管理することは有効であると思われる。
【図面の簡単な説明】
【００１４】
【図１】材齢９１日の供試体の相違に対応した圧縮強度試験結果（応力―ひずみ曲線）を示した図（ａ〜ｃ）である。
【図２】材齢１８２日の供試体の相違に対応した圧縮強度試験結果（応力―ひずみ曲線）を示した図（ａ〜ｃ）である。
【図３】材齢３６５日の供試体の相違に対応した圧縮強度試験結果（応力―ひずみ曲線）を示した図（ａ〜ｃ）である。
【図１】
2008026020.tif 000004
【図２】
2008026020.tif 000005
【図３】
2008026020.tif 000006
(57)【要約】【課題】  フックとチューブとジョイントを連結して形成される通路の周波数特性に生じるピークを抑えることができる耳かけ式補聴器を提供する。【解決手段】  補聴器本体２と耳せん６の間にフック３とチューブ４とジョイント５を備えた耳かけ式補聴器１において、ジョイント５にダンパ８を設けた。ダンパ８の音響インピーダンスの値を、フック３とチューブ４とジョイント５を連結して形成される通路７の特性インピーダンスの値の±１０％以内にするのが望ましい。【選択図】        図２
2008160644.tif 000002
【特許請求の範囲】
【請求項１】
補聴器本体と耳せんの間にフックとチューブとジョイントを備えた耳かけ式補聴器において、前記ジョイントにダンパを設けたことを特徴とする耳かけ式補聴器。
【請求項２】
前記ダンパの音響インピーダンスの値が、前記フックと前記チューブと前記ジョイントを連結して形成される通路の特性インピーダンスの値の±１０％以内である請求項１記載の耳かけ式補聴器。
【発明の詳細な説明】
【技術分野】
【０００１】
本発明は、補聴器本体と耳せんの間にフックとチューブとジョイントを備えた耳かけ式補聴器に関する。
【背景技術】
【０００２】
耳かけ式補聴器のイヤホンから出された音は、フック、チューブ、ジョイント、耳せんを通って外耳道へ伝わる。この時、フックとチューブとジョイントを連結して形成される通路と通路端から先の特性インピーダンスの不整合によって生じる反射波によって、通路内の特定の周波数で定在波が起こり周波数特性（以降、「通路の周波数特性」という。）を持つことが知られているが、この通路の周波数特性に尖鋭部（ピーク）があると、ハウリングを起こす場合がある。このような周波数特性に生じるピークを抑えるために、ダンパが用いられている。一般に、ダンパはフックに取り付けられることが知られている（例えば、特許文献１参照）。
【０００３】
【特許文献１】特開昭６２−１５１１００号公報
【発明の開示】
【発明が解決しようとする課題】
【０００４】
しかし、外耳道へ音を放出する耳せん端部の開口部とダンパの間に距離があると、フックとチューブとジョイントを連結して形成される通路の周波数特性に生じるピークを抑える効果が十分に発揮することができない可能性があり、新たにに別の周波数にピークを生じる場合がある。
【０００５】
本発明は、従来の技術が有するこのような問題点に鑑みてなされたものであり、その目的とするところは、フックとチューブとジョイントを連結して形成される通路の周波数特性に生じるピークを抑えることができる耳かけ式補聴器を提供しようとするものである。
【課題を解決するための手段】
【０００６】
上記課題を解決すべく請求項１に係る発明は、補聴器本体と耳せんの間にフックとチューブとジョイントを備えた耳かけ式補聴器において、前記ジョイントにダンパを設けたものである。
【０００７】
請求項２に係る発明は、請求項１記載の耳かけ式補聴器において、前記ダンパの音響インピーダンスの値を、前記フックと前記チューブと前記ジョイントを連結して形成される通路の特性インピーダンスの値の±１０％以内にした。
【発明の効果】
【０００８】
請求項１に係る発明によれば、フックとチューブとジョイントを連結して形成される通路の周波数特性に生じるピークを抑える効果を十分に発揮することができる。また、既存の耳せんを使用することができる。
【０００９】
請求項２に係る発明によれば、ダンパの音響インピーダンスの値を、フックとチューブとジョイントを連結して形成される通路の特性インピーダンスの値とほぼ一致させることにより、反射が起き難くなるので、周波数特性に生じるピークを効果的に抑えることができる。
【発明を実施するための最良の形態】
【００１０】
以下に本発明の実施の形態を添付図面に基づいて説明する。ここで、図１は本発明に係る耳かけ式補聴器の概要斜視図、図２はジョイントなどの断面図、図３はダンパの説明図である。
【００１１】
本発明に係る耳かけ式補聴器１は、図１に示すように、補聴器本体２、フック３、チューブ４、ジョイント５、耳せん６からなる。フック３とチューブ４とジョイント５は直列に連結され、イヤホンから放出される音が通る通路（管）７を形成している。補聴器本体２には、図示しない補聴処理部、マイクロホン、イヤホンなどが収納されている。
【００１２】
また、ジョイント５には、図２に示すように、音響フィルタとして作用するダンパ８が嵌挿されている。ダンパ８は、図３に示すように、筒体９の一方の開口部にメッシュ状の膜１０を取り付けてなる。ダンパ８は、筒体９をジョイント５の内壁面にシール部材１１を介して密接させ、イヤホンから放出される音が通る通路７の一部をなしている。
【００１３】
そして、ダンパ８の音響インピーダンスの値が、フック３とチューブ４とジョイント５を連結して形成される通路７の特性インピーダンスの値の±１０％以内になるように、ダンパ８の音響インピーダンスの値を設定する。例えば、フック３とチューブ４とジョイント５を連結して形成される通路７の特性インピーダンスの値が、２１００Ωである場合には、音響インピーダンスの値が２２００Ωであるダンパ８をジョイント５に嵌挿する。耳せん６は、既存のものを使用することができる。
【００１４】
以上のように構成された本発明に係る耳かけ式補聴器の動作について説明する。補聴器本体２で補聴処理されてイヤホンから放出された音は、フック３とチューブ４とジョイント５を連結して形成される通路７を通って、耳せん６から外耳道へ伝えられる。その際、ダンパ８の音響インピーダンスの値が、フック３とチューブ４とジョイント５を連結して形成される通路７の特性インピーダンスの値とほぼ一致しているので、反射が起こり難く、通路７の周波数特性に生じるピークが抑えられ、ハウリングを軽減できる。
【産業上の利用可能性】
【００１５】
ジョイントにダンパを設けるだけで、フックとチューブとジョイントを連結して形成される通路の周波数特性に生じるピークを抑える効果が得られるので、装用感の優れた耳かけ式補聴器が容易に提供される。
【図面の簡単な説明】
【００１６】
【図１】本発明に係る耳かけ式補聴器の概要斜視図
【図２】ジョイントなどの断面図
【図３】ダンパの説明図で、（ａ）は平面図、（ｂ）は（ａ）のＡ−Ａ線断面図
【符号の説明】
【００１７】
１…耳かけ式補聴器、２…補聴器本体、３…フック、４…チューブ、５…ジョイント、６…耳せん、７…通路、８…ダンパ。
【図１】
2008160644.tif 000003
【図２】
2008160644.tif 000004
【図３】
2008160644.tif 000005
(57)【要約】【課題】  使用する場所が低温環境であっても、液晶素子が十分に駆動する頭部装着型表示装置を提供する。【解決手段】  低温環境では液晶素子１３内の液晶が十分に駆動せず、表示状態が不明瞭であったが、このような液晶素子１３に、光源１１や駆動回路１４で発生した熱を伝熱部材１６で導くことで、液晶素子１３が暖められるので、頭部装着型表示装置を装着した作業者が、低温環境のもとで作業を行う場合でも、明瞭な表示状態を作業者への提供できる。【選択図】        図１
2008160679.tif 000002
【特許請求の範囲】
【請求項１】
少なくとも、光源と、液晶素子と、液晶素子を駆動する信号を発生する駆動回路と、光源からの光が入射して表示液晶素子から発した表示光を観察者に導く光学系とを備えた頭部装着型表示装置において、前記光源および／または駆動回路と前記液晶素子とを伝熱部材で接続したことを特徴とする頭部装着型表示装置。
【発明の詳細な説明】
【技術分野】
【０００１】
本発明は、特に低温の作業場所で使用され、作業に関する情報を提供し作業を支援する、液晶素子を備えた頭部装着型表示装置に関する。
【背景技術】
【０００２】
従来、頭部装着型表示装置は、装着した作業者に対し、文字や映像で作業に関する情報を提供することにより、作業支援に寄与している。例えば、その作業支援として、寒冷地の屋外での電気工事、また冷蔵倉庫内での作業など低温環境のもとで使用される場合も多い。
【特許文献１】特開２００１−７５４９６
【発明の開示】
【発明が解決しようとする課題】
【０００３】
ところが、上記したような低温環境、例えば−１０℃以下となる温度環境のもとで使用した場合、液晶素子内の液晶が十分に駆動せず、表示状態が不明瞭となり、作業者への情報提供に支障をきたすことがあった。
【０００４】
そこで、別途、電気ヒータなどの加熱手段を設け、それに通電することで液晶素子を暖めることで、液晶が十分に駆動するような状態とすることが行われている。
【０００５】
しかしながら、別途電気ヒータを設けることにより重量化されることは避けられず、頭部に装着する装置にとっては装着者の疲労等を招くので好ましくはない。また、電気エネルギーを消費するので、電源として、表示装置のバッテリーを兼用した場合、装置としての連続使用時間が減少する。一方、別途バッテリーを搭載した場合、重量化は避けられない。
【０００６】
本発明は上記課題を解決し、低温環境のものでも、十分に使用することが可能な頭部装着型表示装置を提供する。
【課題を解決するための手段】
【０００７】
上記課題を解決するため、少なくとも、光源と、液晶素子と、液晶素子を駆動する信号を発生する駆動回路と、光源からの光が入射して表示液晶素子から発した表示光を観察者に導く光学系とを備えた頭部装着型表示装置において、前記光源および／または駆動回路と前記液晶素子とを伝熱部材で接続したことを特徴とする。
【０００８】
かかる構成により、光源や駆動回路で発生した熱を伝熱部材により、液晶素子に導くことで、液晶素子が暖められるので、低温の場所で使用しても、液晶の駆動に支障が起こらず、明瞭な表示状態で、作業者に情報を提供することができる。
【発明の効果】
【０００９】
本発明の頭部装着型表示装置は、液晶素子が温められており、頭部装着型表示装置を装着した作業者が、低温の場所で作業をしても駆動するので、表示状態が不明瞭になることなく、作業者へ十分な情報提供を行うことができる。また、液晶素子を加熱するヒータを別途設ける必要がないので、重量化したり、消費電力の増加による連続使用時間の減少も起こらない。
【発明を実施するための最良の形態】
【００１０】
図１は、本実施例の頭部装着型表示装置の概略ブロック図である。光源１１と、偏光素子１２と、液晶素子（表示素子）１３と、液晶素子１３を駆動する駆動回路１４と、液晶素子１３から発した表示光を観察者に導くミラー１５などの光学系とを備えている。
【００１１】
本実施例では、液晶素子１３として反射型液晶を使用しているが、透過型液晶の使用も可能である。それ以外の主な構造について、次の特徴を除いて、従来の装置と共通である。
【００１２】
本実施例の特徴として、液晶素子１３に光源１１や駆動回路１４で発生した熱を導くため、熱伝導率が高い伝熱部材１６で、液晶素子１３と、熱を発生する光源１１や駆動回路１４とをつないだ点にある。この熱伝導率の高い伝熱部材１６として、例えば、松下電器産業（株）製のＰＧＳグラファイトシートが使用される。このグラファイトシートの場合、軽量であるので、携帯性を重視する本装置において好適である。また、フレキシブルであるので、設計の自由度が増すと共に、取り付けも容易となる。
【００１３】
さに、このＰＧＳグラファイトシートのうち、特に断熱性を有したシリコーンゴムで覆った形態のシート（標準品番：ＥＹＧＭ１２１８１０ＳＷ）を使用することで、途中での放熱を抑制し、効率よく光源１１や駆動回路１４から液晶素子１３へ伝熱することも可能となる。
【００１４】
このような伝熱部材１６について、図２に示したように、液晶素子１３が納まる領域が打ち抜いて形成されており、この打ち抜かれた部分に液晶素子１３を嵌め込むとともに、他方を光源１１や駆動回路１４と接着することで、光源１１や駆動回路１４からの熱により、液晶素子１５が温められる。
【００１５】
このように、別途、重量化を引き起こすような熱源を設けることなく、液晶素子１５を暖めるので、寒冷地の屋外での電気工事、また冷蔵倉庫内での作業などの低温環境のもとでも、液晶の駆動が通常と同様であり、表示状態が不明瞭とならず、装着者が作業を中断する必要が無くなる。
【００１６】
また、本実施例では、液晶素子１３を暖める熱源として光源１１と駆動回路１４の両方を利用したが、その一方だけを使用することも可能である。
【図面の簡単な説明】
【００１７】
【図１】本実施例に係る頭部装着型表示装置の概略を示した図。
【図２】本実施例における伝熱部材を示した図。
【符号の説明】
【００１８】
１１  光源
１３  液晶素子
１４  駆動回路
１６  伝熱部材
【図１】
2008160679.tif 000003
【図２】
2008160679.tif 000004
(57)【要約】【課題】  室内で就寝後に起きた場合に、暗闇の中で移動しようとしたときに、危険であるという問題があった。【解決手段】  照度と周囲の人の有無を検出するセンサー１と、表示するイルミネーションのパターンを記憶する記憶部６と、前記センサー１で、照度が所定より暗く、かつ周囲に人がいることを検知したときに、記憶された表示パターンに応じて、イルミネーションの表示を行うか否かを判断する制御部３と、この制御部の制御に基づき、イルミネーションを表示する表示部５、６とを具備することを特徴とするイルミネーション機能付テレビ。【選択図】      図１
2008160687.tif 000002
【特許請求の範囲】
【請求項１】
照度と周囲の人の有無を検出するセンサーと、
表示するイルミネーションのパターンを記憶する記憶部と、
前記センサーで、照度が所定より暗く、かつ周囲に人がいることを検知したときに、記憶された表示パターンに応じて、イルミネーションの表示を行うか否かを判断する制御部と、
この制御部の制御に基づき、イルミネーションを表示する表示部と
を具備することを特徴とするイルミネーション機能付テレビ。
【請求項２】
前記表示パターンは、
表示パターンと点灯時間の設定が可能であることを特徴とする請求項１に記載のイルミネーション機能付テレビ。
【発明の詳細な説明】
【技術分野】
【０００１】
本発明は、周囲のイルミネーション機能を有するテレビ装置に関する。
【背景技術】
【０００２】
一般に、就寝時は、テレビは電源をＯＦＦして表示画面（ＣＲＴ等）は消灯するとともに、照明もＯＦＦまたは、豆球等の照度を落とした状態で就寝する。このため、就寝後に起きた場合、暗闇の中で移動しようとしたとき、部屋の状態がわからず、安全に移動できないという問題があった。
【０００３】
室内に設置可能なイルミネーション機能を有するものとしては、例えば特許文献１に示すように、電気照明器具に、イルミネーション板と発光ライトで構成することにより、イルミネーション機能を有するものがあった。
【０００４】
しかしながら、照明装置は通常、天井付近に設置されるものであるため、部屋の隅の方や床に付近では、明るさという面では十分ではなく、また光量を増せば、部屋全体が明るくなり、安眠の妨げとなるという問題点があった。
【特許文献１】特開２００５−１１７８３公報
【発明の開示】
【発明が解決しようとする課題】
【０００５】
従来のように、イルミネーション機能を有する照明装置では、天井付近に取り付けられるため、明るさの面では十分といえず、就寝後に起きた場合に暗闇の中で移動しようとしたときに、危険であるという問題点があった。
【０００６】
本発明は、上記事情によりなされたもので、その目的は、就寝後に起きた場合に暗闇の中で安全に移動できるようにするため、補助灯の機能を有するテレビ装置を提供することを目的とする。
【課題を解決するための手段】
【０００７】
上記目的を達成するために本発明は、照度と周囲の人の有無を検出するセンサーと、表示するイルミネーションのパターンを記憶する記憶部と、前記センサーで、照度が所定より暗く、かつ周囲に人がいることを検知したときに、記憶された表示パターンに応じて、イルミネーションの表示を行うか否かを判断する制御部と、この制御部の制御に基づき、イルミネーションを表示する表示部と
【０００８】
を具備することを特徴とする。
このような構成を有することにより、就寝後に起きた場合に暗闇の中で安全に移動できるようになる。
【発明の効果】
【０００９】
以上説明したように、本発明では、イルミネーション機能をテレビに持たせたため、就寝後に起きた場合、暗闇の中で移動しようとしたときにも人感センサーによりテレビ画面が補助灯となり、安全に移動が出来る。
【発明を実施するための最良の形態】
【００１０】
以下、図面を参照して本発明の実施の形態を詳細に説明する。
【実施例１】
【００１１】
図１に本発明の全体ブロック図を示す。
１は周囲の明るさを検知、または付近に人がいることを検知する輝度／人感センサー部、２はセンサーからのアナログ信号をディジタル化し、予め設定した状態を実行するためのプログラム処理及び信号処理ＩＣ制御用マイコンである。
【００１２】
３はマイコンからの指令により表示装置（ＣＲＴ又はＬＣＤ）にメッセージ又は画面を光らせるための処理ＩＣ、４は表示装置である。なお、表示装置としては、テレビ画像を表示する表示画面４であっても、表示画面と別に設けたＬＣＤ等の専用の表示装置５のどちらを用いてもよい。６は設定した光らせ方の設定内容を記憶する記憶部である。
【００１３】
次に表示方法の設定について説明する。
まず、事前に画面の光らせ方の設定を行う。設定は、操作部（図示せず）またはリモコンから行う。光らせ方の設定としては、まず、例えば図２に示すようなメッセージを表示させるのか、色を変化させるイルミネーションとするのかを、選択する。ここでの選択は、イルミネーションとメッセージの組み合わせでもよい。
【００１４】
メッセージを表示させる場合は、表示したいメッセージを入力する。入力方法は、例えば、複数の定型パターンを表示して、ユーザに選択させるか、あるいは文字で入力できるようにしてもよい。ここで入力したメッセージは、予めマイクロコンピュータを介して記憶部６に記憶しておく。
【００１５】
また、イルミネーションの場合は、色や明るさ、変化パターン等を設定する。ここで、イルミネーションの例としては、赤／緑／青の３色を基本として、その中間色も含めた色をランダムに変化させる。
【００１６】
更に、メッセージまたはイルミネーションの表示時間（消灯するまでの時間）を設定する。イルミネーションの点灯時間に関しても、タイマーにより１分単位で設定可能とする。
【００１７】
次に動作について説明する。
ユーザがテレビ装置の電源をＯＦＦ（またはタイマーで所定時間後、ＯＦＦの設定でも可）し、照明もＯＦＦまたは照度を落として就寝する。この状態では、テレビの表示画面は消灯している。
【００１８】
ここで、１のセンサー部（輝度／人感センサー）に人が近づいた時ことを検知し、更に周囲が暗いことを検知した場合は、マイクロコンピュータ２は、記憶部６から記憶してあるイルミネーションのパターンを読み出す。そして、信号処理回路３にイルミネーションを表示するための信号を出力する。信号処理回路３では、設定に沿って表示画面にメッセージの表示または、イルミネーションの表示を行うための信号処理を行い、表示装置４または表示装置５でイルミネーションを表示する。
【００１９】
以上の構成をとることにより、就寝後に起きて、暗闇の中で移動しようとした場合、テレビが補助灯の役目となり、室内を安全に移動することができるようになる。
【図面の簡単な説明】
【００２０】
【図１】本発明の実施の形態に関わる構成を示す図。
【図２】本発明の実施の形態に関わる表示メッセージの一例を示す図。
【符号の説明】
【００２１】
１・・・センサー部
２・・・マイクロコンピュータ
３・・・信号処理部
４・・・表示装置
５・・・表示装置
５・・・記憶部
【図１】
2008160687.tif 000003
【図２】
2008160687.tif 000004
(57)【要約】【課題】  従来、屋外用特に自動車の外周に取付ける監視カメラは、バック用もサイド用も風雨や吹雪などを避けるため、止むを得ずレンズ部を後方向きに設けるものであった。【解決手段】  本発明は、小型カメラ３を内蔵するカバー５のレンズ７の方向、又はカバー５全体が温かくなるように、温度センサー６とヒーター４を設けて温熱をもって霜や雪を溶かして撮像状態を良好にするものである、従って、本融雪型監視カメラのレンズ方向を、自動車の外側進行方向に向けて設ける事も出来る特徴をもつものである。【選択図】図１
2008160777.tif 000002
【特許請求の範囲】
【請求項１】
小型カメラを内蔵した容器内に温度センサーとヒーターを設けたことを特徴とする融雪型監視カメラ。
【請求項２】
自動車の車体部の外側に設けるため容器部を円形状にして突起部をなくしたことを特徴とする請求項１記載の融雪型監視カメラ。
【発明の詳細な説明】
【発明の詳細な説明】
【技術分野】
【０００１】  本発明は、屋外（自動車の周辺なども含む）に設ける監視カメラに於いて、霜や吹雪などによりカメラの視界が悪くなるのを防止するための装置に関する。
【背景技術】
【０００２】  従来の屋外用監視カメラには雨除けなどのフード付きのものはあった。
【発明が解決しようとする課題】
【０００３】  然しながら冬季間になると霜や吹雪などがカメラの前方に付着して視界が悪くなり、監視が出来なくなる等の問題があった。
【課題を解決するための手段】
【０００４】  本発明は、小型カメラを内臓したカバーのレンズの方向、又はカバー部全体が温かくなるように、取付台、又はカバー部に温度センサーとヒーターを設け温熱をもって霧や雪を溶かして撮像状態を良好にするものである、
【０００５】  また、水滴や雪などが付着し難いようにカバーのレンズ方向部に、テフロン、フッソ、或いは、クオーツガラスコーテングなどを施す、または、それらを施したカバーを用いる。尚、ヒーターの設定温度は任意である。
【発明の効果】
【０００６】  仮に、温度センサーを摂氏２０度に設定して置けば、外気温度がそれ以下になるとセンサーが働きヒーターに電流が流れカバーの温度は２０度を維持する。
また、外気温が２０度を超えるとヒーターへの電流は止まる。
【０００７】  例えば、この融雪型カメラを自動車の周辺監視用に設けた場合、温度センサーを摂氏２０度に設定して、自動車のエンジンをかけると温度センサーが働き小型カメラ内臓のカバー部に設けたヒーターに電流が流れ、温度が２０度まで上昇し霜や雪は温熱により速やかに溶かす、又、走行中に吹雪にあっても雪は即座に溶けてしまうのでカメラの視界は鮮明である。（図３参照）
【発明を実施するための最良の形態】
【０００８】  以下、本発明の実施の形態を図１〜図３に基づいて説明する。【０００９】  図１に於いて、取付台１にブラケット２を介して小型カメラ３を取付ける、そして、ヒーター４を設けたカバー５を被せ、温度センサー６とヒーター４を接続する、又、取付台１とカバー５は密封状態とする、小型カメラ３のレンズ７はブラケット２で調整して透明な窓８の方向に設定する。【００１０】  図２に於いて、取付台１１にブラケット１２を介して小型カメラ１３を取付ける、そして、ヒーター１４を設けた透明のカバー１５を被せヒーター１４と温度センサー１６を接続する、取付台１１とカバー１５は密封状態とする、小型カメラ１３のレンズ１７の方向は目的の方向を向け、ブラケット１２で固定する。この場合、レンズの方向はカバー１５の全方位に選択できる。【００１１】  図３に於いて、自動車２１の後輪２２の上部後方寄り外側に、略蒲鉾形の融雪型監視カメラ２３を設ける、その撮像範囲は、後輪２２辺と前輪２４辺及び路上辺２５である。従って、助手席の車両側面と路上辺の状態を運転席に設けたモニタで監視する事が出来る。尚、電源部と配線部及びモニタ部は省略する。
【図面の簡単な説明】
【００１２】
【図１】  略蒲鉾形のカバー内に円筒形の小型カメラを設けたところの融雪監視カメラの一部開放斜視図である。
【図２】  略半球状のカバー内に小型カメラを設けたところの融雪監視カメラの一部開放斜視図である。
【図３】  自動車の助手席側の後輪上方車体部に略蒲鉾形の融雪監視カメラを設けた場合でその撮像範囲を示す概略側面図である、レンズの方向は斜め進行向き。
【符号の説明】
【００１３】１  取付台        ７  レンズ        １４  ヒーター      ２１  自動車
２  ブラケット    ８  窓            １５  カバー        ２２  後輪
３  小型カメラ                      １６  温度センサー  ２３  融雪監視
４  ヒーター      １１  取付台      １７  レンズ              カメラ
５  カバー        １２  ブラケット                      ２４  前輪
６  温度センサー  １３  小型カメラ                      ２５  路上辺
【図１】
2008160777.tif 000003
【図２】
2008160777.tif 000004
【図３】
2008160777.tif 000005
(57)【要約】【課題】  傘の石突き部の円筒体が長く伸び目印の突起物が目立ち、車、バイク、自転車の運転者から発見されやすく、交通事故を防止できる伸縮安全傘を提供する。【解決手段】  傘の石突き部の先端に目印の突起部を備え、段階的に縮径した異なる複数の筒体を順次嵌め合わせ、伸縮自在に構成して折り畳み可能な伸縮機構を備えたことを特徴とする伸縮安全傘。【選択図】図１
2008272417.tif 000002
【特許請求の範囲】
【請求項１】
傘の石突き部の先端に、目印の突起部を備え、段階的に縮径した異なる複数の筒体を順次嵌め合わせ伸縮自在に構成して折り畳み可能な伸縮機構を備えたことを特徴とする伸縮安全傘。
【発明の詳細な説明】
【技術分野】
【０００１】  本発明は、傘の石突き部の先端に、目印の突起部を備え、段階的に縮径した異なる複数の筒体を順次嵌め合わせ伸縮自在に構成して折り畳み可能な伸縮機構を備えたことが特徴で、傘の石突き部の円筒体が長く伸び先端の目印の突起物が目立ち、車、バイク、自転車の運転者から発見されやすく、特に大型車、右折、左折時の巻き込み交通事故の防止ができる伸縮安全傘に関するものである。
【背景技術】
【０００２】  従来の傘は、高さが変わる傘はなく、背が低い子供は傘が低い位置で、車、バイク、自転車の運転者に、発見されにくかったのである。
【発明の開示】
【発明が解決しようとする課題】
【０００３】  そのために、次のような問題点があった。
雨が降ってる際、傘をさしている背が低い子供は、傘の位置が低いので、車、バイク、自転車の運転者に発見されにくく、交通事故の危険性が高かったのである。
本発明は以上の問題点を解決するためになされたものである。
【課題を解決するための手段】
【０００４】  傘の石突き部の先端に、目印の突起部を備え、段階的に縮径した異なる複数の筒体を順次嵌め合わせ伸縮自在に構成して折り畳み可能な伸縮機構を備えたことを特徴とする伸縮安全傘である。
【発明の効果】
【０００５】  傘の先端の石突き部の円筒体を長く伸ばすことで、先端の目印の突起物が高い位置になり歩行中、道路横断中、右折左折、直進後進して来る、車、バイク、自転車の運転者の視界に目印の突起物が目立ち発見されやすく交通事故の防止になり、小さい子供が安全である。
【発明を実施するための最良の形態】
【０００６】  以下、本発明の実施の形態について説明する。
（イ）傘（８）の石突き部（７）に円筒形の支軸（６）を固定し、外周の上端にネジ切り    部（１０）を形成する。
（ロ）支軸（６）に段階的に縮径した異なる円筒体（５）、円筒体（４）、円筒体（３）    、円筒体（２）を順次嵌め合わせ伸縮自在に構成し、支軸（６）に円筒体（５）を内    嵌する。
（ハ）円筒体（２）の先端に目印の突起部（１）を固定し、目印の突起部（１）の下部に    ネジ切り部（１０）に螺着する螺合部（９）を設ける。
本発明は、以上のような構成である。
本発明を使用するときは、目印の突起部（１）をつまんで回し、ネジ切り部（１０）から螺合部（９）をはずす。
目印の突起部（１）をつまんで円筒体（２）を引き出し伸ばして固定する。
円筒体（２）をつまんで引き出し円筒体（３）を伸ばして固定する。
円筒体（３）をつまんで引き出し円筒体（４）を伸ばし、固定する。
円筒体（４）をつまんで引き出し円筒体（５）を伸ばして固定する。
収納時は、目印の突起部（１）をつまみ押し込み、円筒体（５）、円筒体（４）、円筒体（３）、円筒体（２）を順に押し入れ、目印の突起部（１）をつまんで回し、螺合部（９）をネジ切り部（１０）に回し入れる。
【図面の簡単な説明】
【０００７】
【図１】  本発明の斜視図である。
【図２】  本発明の収納時の斜視図である。
【図３】  本発明の断面図である。
【符号の説明】
【０００８】      １    目印の突起部
２    円筒体
３    円筒体
４    円筒体
５    円筒体
６    支軸
７    石突き部
８    傘
９    螺合部
１０  ネジ切り部
【図１】
2008272417.tif 000003
【図２】
2008272417.tif 000004
【図３】
2008272417.tif 000005